(57)【特許請求の範囲】
【請求項１】
第１陽極と第１陰極との間の第１有機層を含む第１発光部と、
第２陽極と、前記第１陰極から離間した第２陰極との間にあって前記第１有機層から離間した第２有機層を含む第２発光部と、
前記第１陰極に接続した第１導電層と、
前記第２陰極に接続した第２導電層と、
前記第１導電層及び前記第２導電層に接続した導電層と、
前記第１発光部、前記第２発光部及び前記導電層を連続して覆い、前記第１陰極と前記導電層の間で前記第１導電層に接する無機層と、
を備える発光装置。
【請求項２】
請求項１に記載の発光装置において、
前記第１発光部及び前記第２発光部は、並列に接続されている発光装置。
【請求項３】
請求項１又は２に記載の発光装置において、
前記第１導電層は、前記導電層と重なる領域を含み、
前記導電層は、前記第１導電層の前記領域の反対側で前記無機層によって覆われている発光装置。
【請求項４】
請求項１から３までのいずれか一項に記載の発光装置において、
前記第１導電層は、前記第１陰極と重なる領域を含み、
前記第１陰極は、前記第１導電層の前記領域の反対側で前記無機層によって覆われている発光装置。
【請求項５】
請求項１から４までのいずれか一項に記載の発光装置において、
前記第１導電層は、前記第１陽極と同一の材料を含む発光装置。
【請求項６】
請求項１から５までのいずれか一項に記載の発光装置において、
前記第１陽極から離間した第３陽極と、前記第１陽極と接続する第３陰極との間の第３有機層を含む第３発光部を備える発光装置。
【請求項７】
請求項１から６までのいずれか一項に記載の発光装置において、
前記第１有機層は、前記第１陽極と前記導電層に跨って広がり、前記導電層に接している発光装置。
【請求項８】
請求項１から７までのいずれか一項に記載の発光装置において、
前記第１陽極及び前記第２陽極に接続し、前記第１陽極及び前記第２陽極と同一の材料を含む第３導電層を備える発光装置。
【請求項９】
請求項１から８までのいずれか一項に記載の発光装置において、
前記第１発光部は、
隔壁と、
前記隔壁によって互いに隔てられた複数のサブ画素と、
を有し、
前記無機層は、前記複数のサブ画素のそれぞれを覆っている発光装置。
【請求項１０】
請求項１から９までのいずれか一項に記載の発光装置において、
前記第１導電層及び前記第２導電層に接続し、前記第１導電層及び前記第２導電層と同一の材料を含む第４導電層を備える発光装置。
【請求項１１】
請求項１から９までのいずれか一項に記載の発光装置において、
前記第１導電層及び前記第２導電層は、互いに離間している発光装置。
【請求項１２】
請求項１から１１までのいずれか一項に記載の発光装置において、
前記無機層は、ＡＬＤ膜である発光装置。
【請求項１３】
請求項１から１２までのいずれか一項に記載の発光装置において、
前記第１発光部の画素は、長手方向及び短手方向を有し、
前記第１発光部の画素の長手方向の長さは１ｍｍ以下である発光装置。
【請求項１４】
請求項１から１３までのいずれか一項に記載の発光装置において、
前記第１発光部及び前記第２発光部の間に位置する第１透光部を備える発光装置。
【請求項１５】
請求項６に記載の発光装置において、
前記第１発光部及び前記第３発光部の間に位置する第２透光部を備える発光装置。
【請求項１６】
請求項１から１５までのいずれか一項に記載の発光装置において、
前記第１発光部及び前記第２発光部を含む複数の発光部と、透光部と、を含む活性領域を備え、
前記活性領域は、前記第１陰極及び前記第２陰極を含む複数の陰極を含み、
前記活性領域の全面積のうち前記複数の陰極の面積が５０％以下である発光装置。
【発明の詳細な説明】
【技術分野】
【０００１】
本発明は、発光装置に関する。
【背景技術】
【０００２】
近年、発光装置として、有機発光ダイオード（ＯＬＥＤ）が開発されている。ＯＬＥＤは、発光部を有しており、発光部は、第１電極、有機層及び第２電極を有している。有機層は、有機エレクトロルミネッセンスによって光を発する発光層を含んでいる。発光層は、第１電極と第２電極の間の電圧によって光を発する。【０００３】
ＯＬＥＤでは、特許文献１に記載されているように、ダークスポットが形成されることがある。特に特許文献１には、第２電極が低仕事関数を有する材料によって構成されている場合、水分又は酸素の侵入によって第２電極が酸化してダークスポットが形成されることについて記載されている。さらに、特許文献１には、ダークスポットは時間の経過とともに広がることについて記載されている。【０００４】
特許文献１には、ダークスポットの広がりを抑える方法の一例について記載されている。具体的には、特許文献１のＯＬＥＤは、第１電極、複数の有機層、複数の第２電極及び隔壁を備えている。隔壁は、第１電極上に位置している。複数の有機層及び複数の第２電極は、隔壁によって互いに隔てられている。【０００５】
一方、ＯＬＥＤでは、特許文献２に記載されているように、第１電極と第２電極の間で短絡が生じることがある。特に特許文献２には、製造中の粒子によって、第１電極と第２電極の間の短絡が引き起こされることについて記載されている。【０００６】
特許文献２には、複数の発光部を直列に接続し、かつ直列に接続された複数の発光部を含む列を並列に接続することで、上述した粒子に対するロバストネスを高めることができることについて記載されている。このような構成においては、いずれかの列のいずれかの発光部が短絡しても、短絡した発光部を含む列のみがその他の列から絶縁されることになる。
【先行技術文献】
【特許文献】
【０００７】
【特許文献１】特開平１１−４０３５４号公報
【特許文献２】米国特許出願公開第２０１１／０１６３３３７号明細書
【発明の概要】
【発明が解決しようとする課題】
【０００８】
上述したように、ＯＬＥＤでは、ダークスポットが生じることがある。ダークスポットの影響を受ける範囲は、可能な限り狭いことが望ましい。【０００９】
本発明が解決しようとする課題としては、ダークスポットの影響を受ける範囲を限定的な範囲に抑えることが一例として挙げられる。
【課題を解決するための手段】
【００１０】
請求項１に記載の発明は、
第１陽極と第１陰極との間の第１有機層を含む第１発光部と、
第２陽極と、前記第１陰極から離間した第２陰極との間にあって前記第１有機層から離間した第２有機層を含む第２発光部と、
前記第１陰極に接続した第１導電層と、
前記第２陰極に接続した第２導電層と、
前記第１導電層及び前記第２導電層に接続した導電層と、
前記第１発光部、前記第２発光部及び前記導電層を連続して覆い、前記第１陰極と前記導電層の間で前記第１導電層に接する無機層と、
を備える発光装置である。
【図面の簡単な説明】
【００１１】
上述した目的、およびその他の目的、特徴および利点は、以下に述べる好適な実施の形態、およびそれに付随する以下の図面によってさらに明らかになる。【００１２】
【図１】実施形態１に係る発光装置を示す平面図である。
【図２】図１から陰極を取り除いた図である。
【図３】図２から有機層及びバス電極を取り除いた図である。
【図４】図１のＡ−Ａ断面図である。
【図５】図１のＢ−Ｂ断面図である。
【図６】図１から図５に示した発光装置の動作の第１例を説明するための図である。
【図７】図１から図５に示した発光装置の動作の第２例を説明するための図である。
【図８】実施形態２に係る発光装置を示す平面図である。
【図９】図８から陰極を取り除いた図である。
【図１０】図９から有機層及びバス電極を取り除いた図である。
【図１１】図８のＡ−Ａ断面図である。
【図１２】図８から図１１に示した発光装置の動作の第１例を説明するための図である。
【図１３】図８から図１１に示した発光装置の動作の第２例を説明するための図である。
【図１４】図８の変形例を示す図である。
【図１５】実施形態３に係る発光装置を示す回路図である。
【図１６】図１５に示した発光装置の動作の第１例を説明するための図である。
【図１７】図１５に示した発光装置の動作の第２例を説明するための図である。
【図１８】図１５に示した発光装置の群の一例を示す平面図である。
【図１９】実施形態４に係る発光装置を示す回路図である。
【図２０】図１９に示した発光装置の一例を示す平面図である。
【図２１】図２０に示した発光部を拡大した図である。
【図２２】図２１から陰極を取り除いた図である。
【図２３】図２２から有機層を取り除いた図である。
【図２４】図２１のＣ−Ｃ断面図である。
【図２５】（ａ）は、実施形態５に係る発光装置を示す平面図であり、（ｂ）は、（ａ）に示した画素を拡大した図である。
【発明を実施するための形態】
【００１３】
以下、本発明の実施の形態について、図面を用いて説明する。尚、すべての図面において、同様な構成要素には同様の符号を付し、適宜説明を省略する。
【００１４】
（実施形態１）
図１は、実施形態１に係る発光装置１０を示す平面図である。図２は、図１から陰極１３０を取り除いた図である。図３は、図２から有機層１２０、バス電極１５２及びバス電極１５４を取り除いた図である。図４は、図１のＡ−Ａ断面図である。図５は、図１のＢ−Ｂ断面図である。なお、説明のため、図１では、図４及び図５に示した無機層２００及び保護層３００を示していない。
【００１５】
図１から図５を用いて発光装置１０の概要について説明する。発光装置１０は、複数の発光部１４０及び無機層２００を備えている。各発光部１４０は、陽極１１０、有機層１２０及び陰極１３０を有している。無機層２００は、複数の発光部１４０に亘って広がっており、複数の発光部１４０を連続して覆っている。このようにして、無機層２００は、複数の発光部１４０を封止している。各発光部１４０の有機層１２０は、互いに離間している。同様にして、各発光部１４０の陰極１３０は、互いに離間している。
【００１６】
各発光部１４０の有機層１２０を互いに離間させ、各発光部１４０の陰極１３０を離間させることによって、ダークスポットの影響を受ける範囲を限定的な範囲に抑えることができる。具体的には、ダークスポットは、水分の伝搬によって広がり得る。対照的に、各発光部１４０の有機層１２０が互いに離間し、各発光部１４０の陰極１３０が互いに離間していると、一の発光部１４０に侵入した水分が有機層１２０又は陰極１３０を経由して他の発光部１４０に伝搬しないようになる。
【００１７】
発光装置１０は、複数の素子群ＧＳを備えている。各素子群ＧＳは、直列に接続された複数の発光部１４０を含んでいる。複数の素子群ＧＳは、並列に接続されている。
【００１８】
各素子群ＧＳ内で複数の発光部１４０を直列に接続し、かつ複数の素子群ＧＳを並列に接続することで、ダークスポットによる非発光領域の範囲を限定的な範囲に抑えることができる。具体的には、図６を用いて後述するように、いずれかの素子群ＧＳにおいて一の発光部１４０にダークスポットが生じてこの発光部１４０が開放したとしても、開放した発光部１４０を含む素子群ＧＳに並列に接続した素子群ＧＳには、電流を流すことができる。つまり、ダークスポットによる非発光領域の範囲は、開放した発光部１４０及び開放した発光部１４０に直列に接続した発光部１４０に限定される。
【００１９】
各素子群ＧＳ内で複数の発光部１４０を直列に接続し、かつ複数の素子群ＧＳを並列に接続することで、リークによる非発光領域の範囲を限定的な範囲に抑えることができる。具体的には、図７を用いて後述するように、いずれかの素子群ＧＳにおいて一の発光部１４０にリークが生じてこの発光部１４０が短絡したとしても、短絡した発光部１４０に直列に接続する発光部１４０及び短絡した発光部１４０を含む素子群ＧＳに並列に接続した素子群ＧＳには、電流を流すことができる。つまり、ダークスポットによる非発光領域の範囲は、短絡した発光部１４０に限定される。
【００２０】
次に、図１から図３を用いて、発光装置１０の平面レイアウトの詳細について説明する。発光装置１０は、導電層１１２、複数の発光部１４０、バス電極１５２及びバス電極１５４を備えている。図１から図３において、Ｘ方向は、バス電極１５２及びバス電極１５４の配列方向として規定されており、Ｙ方向は、バス電極１５２及びバス電極１５４の延伸方向として規定されている。Ｙ方向は、Ｘ方向に交わっており、より具体的にはＸ方向に直交している。バス電極１５２及びバス電極１５４のそれぞれは、導電層である。
【００２１】
複数の発光部１４０は、Ｘ方向及びＹ方向に沿って２次元マトリクス状に配置されている。特に図１から図３に示す例では、複数の発光部１４０は、バス電極１５２とバス電極１５４の間で３行３列の２次元マトリクス状に配置された９つの発光部１４０を含んでいる。９つの発光部１４０は、３つの素子群ＧＳに分類されている。３つの素子群ＧＳは、Ｙ方向に沿って並んでおり、各素子群ＧＳは、Ｘ方向に並ぶ３つの発光部１４０を含んでいる。
【００２２】
各素子群ＧＳ内の発光部１４０（例えば、図１から図３の第１発光部１４０（１）と第３発光部１４０（３）又は第２発光部１４０（２）と第４発光部１４０（４））は、直列に接続している。
【００２３】
３つの素子群ＧＳは、並列に接続されている。特に、各素子群ＧＳ内でバス電極１５４に隣接する発光部１４０は、陽極１１０を介してバス電極１５２に接続しており、各素子群ＧＳ内でバス電極１５２に隣接する発光部１４０（例えば、図１から図３の第１発光部１４０（１）又は第２発光部１４０（２））は、導電層１１２を介して導電層１１２に接続している。
【００２４】
図１から図３に示す例では、図３に示すように、Ｙ方向に隣り合う陽極１１０は、繋がっておらず、互いに離間している。これによって、陽極１１０と重なる領域の面積を小さくすることができ、発光装置１０の光線透過率を高くすることができる。
【００２５】
同様にして、Ｙ方向に隣り合う導電層１１２は、繋がっておらず、互いに離間している。これによって、導電層１１２と重なる領域の面積を小さくすることができ、発光装置１０の光線透過率を高くすることができる。
【００２６】
各発光部１４０は、画素１４２を有している。画素１４２では、陽極１１０、有機層１２０及び陰極１３０が重なっており、陽極１１０と陰極１３０の間の電圧によって有機層１２０から光が発せられる。図１に示す例において、画素１４２の形状は矩形となっている。
【００２７】
図１から図３に示す例では、発光装置１０は、遮光部材（具体的には、陰極１３０、バス電極１５２及びバス電極１５４）と重なっていない領域において透光部を有している。つまり、発光装置１０は、Ｘ方向に沿って隣り合う発光部１４０（例えば、図１から図３の第１発光部１４０（１）と第３発光部１４０（３）又は第２発光部１４０（１）と第４発光部１４０（２））の間及びＹ方向に沿って隣り合う発光部１４０（例えば、図１から図３の第１発光部１４０（１）と第２発光部１４０（２）又は第３発光部１４０（３）と第４発光部１４０（４））の間に透光部を有している。
【００２８】
次に、図４を用いて、発光装置１０の断面構造の詳細について説明する。発光装置１０は、基板１００、陽極１１０、導電層１１２、有機層１２０、陰極１３０、バス電極１５２、バス電極１５４、無機層２００及び保護層３００を備えている。
【００２９】
基板１００は、透光性を有しており、支持基板１００ａ及びバリア層１００ｂを有している。基板１００は、第１面１０２及び第２面１０４を有している。陽極１１０、導電層１１２、有機層１２０、陰極１３０、バス電極１５２、バス電極１５４、無機層２００及び保護層３００は、基板１００の第１面１０２上に位置している。第２面１０４は、第１面１０２の反対側にある。支持基板１００ａは、第２面１０４側に位置し、バリア層１００ｂは、第１面１０２側に位置している。
【００３０】
一例において、支持基板１００ａは、ガラス基板である。他の例において、支持基板１００ａは、樹脂基板であってもよく、具体的には、ＰＥＮ（ポリエチレンナフタレート）基板（厚さ：例えば１００μｍ）や透明ポリイミド膜（厚さ：例えば２０μｍ）であってもよい。
【００３１】
バリア層１００ｂは、無機層、具体的には例えばＳｉＯＮ膜である。バリア層１００ｂは、支持基板１００ａからの水分を遮るために設けられている。無機層は、例えば、スパッタ膜（つまり、スパッタにより形成された膜）、ＣＶＤ（Ｃｈｅｍｉｃａｌ  Ｖａｐｏｒ  Ｄｅｐｏｓｉｔｉｏｎ）膜（つまり、ＣＶＤにより形成された膜）又はＡＬＤ（Ａｔｏｍｉｃ  Ｌａｙｅｒ  Ｄｅｐｏｓｉｔｉｏｎ）膜（つまり、ＡＬＤにより形成された膜）である。一例において、スパッタにより形成した層の上にＡＬＤにより形成した層を積層してもよい。さらに、無機層の上に有機層を介して別の無機層をさらに積層してもよい。この有機層は、平滑化のために設けられている。一例において、有機層は、有機材料（例えば、エポキシ樹脂、アクリル樹脂又はポリイミド樹脂）をスリットコートでコーティングし、この有機材料を焼成することで形成することができる。有機層上の無機層上に別の有機層及び別の無機層をさらに積層してもよい。言い換えると、バリア層１００ｂは、交互に積層された複数の無機層及び複数の有機層を含んでいてもよい。
【００３２】
陽極１１０は、透光性を有している。陽極１１０は、例えば、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）及びＡＺＯ（Ａｌｕｍｉｎｕｍ  ｄｏｐｅｄ  Ｚｉｎｃ  Ｏｘｉｄｅ）の少なくとも一つを含んでいる。
【００３３】
導電層１１２は、透光性を有している。導電層１１２は、陽極１１０と同一の材料を含んでいる。つまり、導電層１１２は、陽極１１０と同一の工程で形成することができる。ただし、導電層１１２は、陽極１１０と異なる材料を含んでいてもよい。
【００３４】
有機層１２０は、有機エレクトロルミネッセンスによって光を発する。有機層１２０は、例えば、正孔注入層、正孔輸送層、発光層、電子輸送層及び電子注入層を含んでいる。
【００３５】
陰極１３０は、遮光性、具体的には光反射性を有している。陰極１３０は、例えば、Ａｌ、Ａｇ及びＭｇの少なくとも一つ又はこれらの合金を含んでいる。
【００３６】
バス電極１５２は、導電性を有している。バス電極１５２は、例えば、ＭＡＭ（Ｍｏ／Ａｌ／Ｍｏ）にすることができる。
【００３７】
バス電極１５４は、導電性を有している。バス電極１５４は、バス電極１５２と同一の材料を含んでいる。つまり、バス電極１５４は、バス電極１５２と同一の工程で形成することができる。ただし、バス電極１５４は、バス電極１５２と異なる材料を含んでいてもよい。
【００３８】
無機層２００は、ＡＬＤ膜（つまり、ＡＬＤにより形成された膜）である。無機層２００は、基板１００の第１面１０２、陽極１１０、有機層１２０、陰極１３０、バス電極１５２及びバス電極１５４を封止するために設けられている。無機層２００は、例えば、ＳｉＮｘ層、ＳｉＯＮ層、Ａｌ２Ｏ３層及びＴｉＯ２層からなる群から選択される少なくとも１つを含んでおり、特に、これらの積層膜を含んでいてもよい。なお、無機層２００は、ＣＶＤ膜（つまり、ＣＶＤにより形成された膜）であってもよい。
【００３９】
保護層３００は、外部の衝撃から無機層２００を保護するために設けられている。保護層３００は、例えば、樹脂層にすることができる。
【００４０】
発光装置１０は、複数の発光部１４０を備えている。各発光部１４０は、陽極１１０、有機層１２０及び陰極１３０を有している。各発光部１４０の陽極１１０は、Ｘ方向において互いに離間しており、各発光部１４０の有機層１２０は、Ｘ方向において互いに離間しており、各発光部１４０の陰極１３０は、Ｘ方向において互いに離間している。これによって、水分が一の発光部１４０から他の発光部１４０へＸ方向に沿って伝搬することが防止される。
【００４１】
各発光部１４０は、画素１４２を有している。画素１４２では、陽極１１０、有機層１２０及び陰極１３０が重なっており、陽極１１０と陰極１３０の間の電圧によって有機層１２０から光が発せられる。図４に示す例では、有機層１２０から発せられた光は、陽極１１０を透過して基板１００から出力される。ただし、他の例において、有機層１２０から発せられた光は、陰極１３０を透過して保護層３００から出力されてもよい。この場合、陰極１３０は、透光性を有している必要がある。
【００４２】
バス電極１５２とバス電極１５４の間の複数の発光部１４０は、直列に接続されている。具体的には、バス電極１５２に隣接する発光部１４０の陽極１１０は、バス電極１５２に接続している。バス電極１５４に隣接する発光部１４０の陰極１３０は、導電層１１２を介してバス電極１５４に接続している。これらの発光部１４０の間に位置する発光部１４０の陽極１１０及び陰極１３０は、それぞれ、バス電極１５２側の発光部１４０の陰極１３０及びかつバス電極１５４側の発光部１４０の陽極１１０に接続している。
【００４３】
各発光部１４０において、陽極１１０のバス電極１５４側端部は、有機層１２０によって覆われ、有機層１２０のバス電極１５２側端部は、陽極１１０上に位置し、かつ陰極１３０から露出し、有機層１２０のバス電極１５４側端部は、陰極１３０によって覆われている。このような構造によって、陽極１１０と陰極１３０の直接の接触、つまり、陽極１１０と陰極１３０の短絡が防止される。
【００４４】
図４に示す例では、バス電極１５２を挟んで隣り合う発光部１４０は、互いに共通の陽極１１０を共有しており、互いに共通のバス電極１５２に接続している。これによって、バス電極１５２を挟んで隣り合う発光部１４０の間隔を小さくすることができる。
【００４５】
バス電極１５４に隣接する発光部１４０を除く一の発光部１４０の有機層１２０は、当該一の発光部１４０の陽極１１０と当該一の発光部１４０のバス電極１５４側の他の発光部１４０の陽極１１０に跨って広がっており、当該他の発光部１４０の陽極１１０に接している。さらに、当該一の発光部１４０の有機層１２０の一部は、当該一の発光部１４０の陽極１１０と当該他の発光部１４０の陽極１１０の間の隙間に埋め込まれており、特に図４に示す例では、有機層１２０のこの一部は基板１００の第１面１０２に接している。有機層１２０のこのような構造によって、陰極１３０の表面の段差を小さくすることができ、無機層２００による陰極１３０の被覆を容易にする。さらに、有機層１２０の上述した構造によって、有機層１２０が陽極１１０のバス電極１５４側端部を確実に覆うことができるようになり、陽極１１０と陰極１３０の直接の接触、つまり、陽極１１０と陰極１３０の短絡が防止される。
【００４６】
これに対して、バス電極１５４に隣接する発光部１４０の有機層１２０は、当該発光部１４０の陽極１１０と導電層１１２に跨って広がっており、導電層１１２に接している。さらに、当該発光部１４０の有機層１２０の一部は、陽極１１０と導電層１１２の間の隙間に埋め込まれており、特に図４に示す例では、有機層１２０のこの一部は基板１００の第１面１０２に接している。有機層１２０のこのような構造によって、陰極１３０の表面の段差を小さくすることができ、無機層２００による陰極１３０の被覆を容易にする。さらに、有機層１２０の上述した構造によって、有機層１２０が陽極１１０のバス電極１５４側端部を確実に覆うことができるようになり、陽極１１０と陰極１３０の直接の接触、つまり、陽極１１０と陰極１３０の短絡が防止される。
【００４７】
無機層２００は、複数の発光部１４０に亘って広がっており、特に、バス電極１５２からバス電極１５４にかけて、バス電極１５２、複数の発光部１４０、導電層１１２及びバス電極１５４を連続して覆っている。
【００４８】
特に図４に示す例では、バス電極１５２に接続する陽極１１０は、バス電極１５２と重なる領域を含み、バス電極１５２は、当該陽極１１０の当該領域の反対側で無機層２００によって覆われている。さらに、導電層１１２は、バス電極１５４と重なる領域を含み、バス電極１５４は、導電層１１２の当該領域の反対側で無機層２００によって覆われている。
【００４９】
バス電極１５２に隣接する発光部１４０を除く一の発光部１４０の陽極１１０は、当該一の発光部１４０のバス電極１５２側の他の発光部１４０の陰極１３０と重なる領域を含み、当該他の発光部１４０の陰極１３０は、当該陽極１１０の当該領域の反対側で無機層２００によって覆われている。さらに、導電層１１２は、バス電極１５２に隣接する発光部１４０の陰極１３０と重なる領域を含み、当該陰極１３０は、導電層１１２の当該領域の反対側で無機層２００によって覆われている。
【００５０】
無機層２００は、一の発光部１４０の陰極１３０と当該一の発光部１４０のバス電極１５４側の他の発光部１４０の有機層１２０の間で陽極１１０に接している。つまり、当該一の発光部１４０の陰極１３０と当該他の発光部１４０の有機層１２０は、無機層２００の一部を挟んで互いに隔てられている。これによって、当該一の発光部１４０の陰極１３０と当該他の発光部１４０の有機層１２０の間での水分の伝搬が防止される。
【００５１】
さらに、無機層２００は、バス電極１５２に隣接する発光部１４０の有機層１２０とバス電極１５２の間で陽極１１０に接している。つまり、当該発光部１４０の有機層１２０とバス電極１５２は、無機層２００の一部を挟んで互いに隔てられている。これによって、当該発光部１４０の有機層１２０とバス電極１５２の間での水分の伝搬が防止される。
【００５２】
さらに、無機層２００は、バス電極１５４に隣接する発光部１４０の陰極１３０とバス電極１５４の間で導電層１１２に接している。つまり、当該発光部１４０の陰極１３０とバス電極１５４は、無機層２００の一部を挟んで互いに隔てられている。これによって、当該発光部１４０の陰極１３０とバス電極１５４の間での水分の伝搬が防止される。
【００５３】
次に、図５を用いて、発光装置１０の断面構造の詳細について説明する。
【００５４】
各発光部１４０の陽極１１０は、Ｙ方向において互いに離間しており、各発光部１４０の有機層１２０は、Ｙ方向において互いに離間しており、各発光部１４０の陰極１３０は、Ｙ方向において互いに離間している。これによって、水分が一の発光部１４０から他の発光部１４０へＹ方向に沿って伝搬することが防止される。
【００５５】
各発光部１４０において、陽極１１０の両端は、有機層１２０によって覆われている。このような構造によって、陽極１１０と陰極１３０の直接の接触、つまり、陽極１１０と陰極１３０の短絡が防止される。
【００５６】
無機層２００は、複数の発光部１４０に亘って広がっており、複数の発光部１４０を連続して覆っている。
【００５７】
無機層２００は、一の発光部１４０の有機層１２０と他の発光部１４０の有機層１２０の間で基板１００の第１面１０２に接している。つまり、当該一の発光部１４０の有機層１２０と当該他の発光部１４０の有機層１２０は、無機層２００の一部を挟んで互いに隔てられている。これによって、当該一の発光部１４０の有機層１２０と当該他の発光部１４０の有機層１２０の間での水分の伝搬が防止される。
【００５８】
次に、図１から図５に示した発光装置１０を製造する方法の一例について説明する。
【００５９】
まず、基板１００の第１面１０２上に陽極１１０及び導電層１１２を形成する。陽極１１０及び導電層１１２は、フォトリソグラフィによるパターニングによって形成することができる。特に陽極１１０及び導電層１１２が同一の材料を含む場合、陽極１１０及び導電層１１２は、同一の工程で形成することができる。
【００６０】
次いで、バス電極１５２及びバス電極１５４を形成する。バス電極１５２及びバス電極１５４は、パターニングによって形成することができる。特にバス電極１５２及びバス電極１５４が同一の材料を含む場合、バス電極１５２及びバス電極１５４は。同一の工程で形成することができる。
【００６１】
次いで、有機層１２０を形成する。有機層１２０は、塗布、具体的にはインクジェット印刷により形成することができ、又は蒸着、具体的にはメタルマスクを用いた真空蒸着により形成することができる。
【００６２】
次いで、陰極１３０を形成する。陰極１３０は、蒸着、具体的にはメタルマスクを用いた真空蒸着により形成することができる。
【００６３】
次いで、無機層２００を形成する。一例において、無機層２００は、ＡＬＤにより形成することができる。その他の例において、無機層２００は、ＣＶＤにより形成することができる。
【００６４】
次いで、保護層３００を形成する。
【００６５】
このようにして、図１から図５に示した発光装置１０が製造される。
【００６６】
図６は、図１から図５に示した発光装置１０の動作の第１例を説明するための図である。
【００６７】
図６に示す例では、発光装置１０は、並列に接続された２つの素子群ＧＳを備えている。各素子群ＧＳは直列に接続された２つの発光部１４０を含んでいる。このようにして、４つの発光部１４０が２行２列のマトリクス状に配置されている。各発光部１４０の抵抗はＲである。バス電極１５２とバス電極１５４の電圧はＶである。
【００６８】
図６（ａ）では、発光装置１０は、正常に動作している。特に図６（ａ）に示す例では、第１行に位置する２つの発光部１４０には、Ｖ／２Ｒの電流が流れ、第２行に位置する２つの発光部１４０にも、Ｖ／２Ｒの電流が流れる。
【００６９】
図６（ｂ）では、第１行第１列に位置する発光部１４０にダークスポットが発生している。ダークスポットの発生によって、この発光部１４０は、開放する。発光部１４０の開放によって、開放した発光部１４０に直列に接続した発光部１４０には電流が流れなくなるものの、開放した発光部１４０を含む素子群ＧＳに並列に接続した素子群ＧＳには、ダークスポット発生前の電流と同じ電流（Ｖ／２Ｒ）が流れる。
【００７０】
図７は、図１から図５に示した発光装置１０の動作の第２例を説明するための図である。図７に示す例は、以下の点を除いて、図６に示した例と同様である。
【００７１】
図７（ａ）では、発光装置１０は、正常に動作している。特に図７（ａ）に示す例では、第１行に位置する２つの発光部１４０には、電流Ｉ＝Ｖ／２Ｒが流れ、第２行に位置する２つの発光部１４０にも、電流Ｉ＝Ｖ／２Ｒが流れる。
【００７２】
図７（ｂ）では、第１行第１列に位置する発光部１４０にリークが発生している。リークの発生によって、この発光部１４０は、短絡する。発光部１４０のリークによって、短絡した発光部１４０に直列に接続した発光部１４０に流れる電流は増加するものの、いずれの発光部１４０にも電流が流れる。特に図７（ｂ）に示す例では、第１行に位置する各発光部１４０に流れる電流は、Ｖ／Ｒである。一方、第２行に位置する発光部１４０に流れる電流は、Ｖ／２Ｒのままである。
【００７３】
以上、本実施形態によれば、ダークスポットの影響を受ける範囲を限定的な範囲に抑えることができる。
【００７４】
さらに、本実施形態によれば、ダークスポット又はリークによる非発光領域の範囲を限定的な範囲に抑えることができる。
【００７５】
（実施形態２）
図８は、実施形態２に係る発光装置１０を示す平面図であり、実施形態１の図１に対応する。図９は、図８から陰極１３０を取り除いた図であり、実施形態１の図２に対応する。図１０は、図９から有機層１２０、バス電極１５２及びバス電極１５４を取り除いた図であり、実施形態１の図３に対応する。図１１は、図８のＡ−Ａ断面図であり、実施形態１の図４に対応する。
【００７６】
図８から図１１に示す例では、Ｙ方向に沿って並ぶ複数の発光部１４０が並列に接続されている。複数の発光部１４０を並列に接続することで、ダークスポットによる非発光領域の範囲を限定的な範囲に抑えることができる。具体的には、図１２を用いて後述するように、いずれかの発光部１４０にダークスポットが生じてこの発光部１４０が開放したとしても、開放した発光部１４０に並列に接続した発光部１４０には、電流を流すことができる。つまり、ダークスポットによる非発光領域の範囲は、開放した発光部１４０に限定される。
【００７７】
さらに、図８から図１１に示す例では、Ｘ方向に沿って隣り合う発光部１４０が直列に接続されていない。Ｘ方向に沿って隣り合う発光部１４０を直列に接続しないことで、リークによる非発光領域の範囲を限定的な範囲に抑えることができる。具体的には、図１３を用いて後述するように、一方の発光部１４０にリークが生じてこの発光部１４０が短絡したとしても、もう一方の発光部１４０には電流を流すことができる。つまり、リークによる非発光領域の範囲は、短絡した発光部１４０に限定される。
【００７８】
図８から図１０を用いて、発光装置１０の平面レイアウトの詳細について説明する。
【００７９】
バス電極１５２とバス電極１５４は、Ｘ方向に沿って交互に並んでいる。バス電極１５２とバス電極１５４の間では、複数の発光部１４０がＹ方向に沿って並んでいる。バス電極１５２とバス電極１５４の間の複数の発光部１４０は、並列に接続されている。
【００８０】
図８から図１０に示す例では、図１０に示すように、Ｙ方向に隣り合う陽極１１０は、繋がっておらず、互いに離間している。これによって、陽極１１０と重なる領域の面積を小さくすることができ、発光装置１０の光線透過率を高くすることができる。
【００８１】
同様にして、Ｙ方向に隣り合う導電層１１２は、繋がっておらず、互いに離間している。これによって、導電層１１２と重なる領域の面積を小さくすることができ、発光装置１０の光線透過率を高くすることができる。
【００８２】
図１１を用いて、発光装置１０の断面構造の詳細について説明する。
【００８３】
バス電極１５２を挟んで隣り合う発光部１４０は、互いに共通の陽極１１０を共有しており、互いに共通のバス電極１５２に接続している。これによって、バス電極１５２を挟んで隣り合う発光部１４０の間隔を小さくすることができる。
【００８４】
バス電極１５４を挟んで隣り合う発光部１４０の陰極１３０は、互いに共通の導電層１１２を介して、互いに共通のバス電極１５２に接続している。これによって、バス電極１５４を挟んで隣り合う発光部１４０の間隔を小さくすることができる。
【００８５】
図１２は、図８から図１１に示した発光装置１０の動作の第１例を説明するための図である。
【００８６】
図１２に示す例では、４つの発光部１４０が２行２列のマトリクス状に配置されている。具体的には、２つのバス電極１５４の間に１つのバス電極１５２が配置されている。４つの発光部１４０のうちの２つの発光部１４０は、バス電極１５２と一方のバス電極１５４の間で並列に接続されている。４つの発光部１４０のうちの残り２つの発光部１４０は、バス電極１５２ともう一方のバス電極１５４の間で並列に接続されている。各発光部１４０の抵抗はＲである。バス電極１５２とバス電極１５４の電圧はＶである。
【００８７】
図１２（ａ）では、発光装置１０は、正常に動作している。特に図１２（ａ）に示す例では、各発光部１４０には、電流Ｉ＝Ｖ／Ｒが流れる。
【００８８】
図１２（ｂ）では、第１行第１列に位置する発光部１４０にダークスポットが発生している。ダークスポットの発生によって、この発光部１４０は、開放する。発光部１４０の開放によって、開放した発光部１４０には電流が流れなくなるものの、その他の発光部１４０には、ダークスポット発生前の電流と同じ電流（Ｖ／Ｒ）が流れる。
【００８９】
図１３は、図８から図１１に示した発光装置１０の動作の第２例を説明するための図である。図１３に示す例は、以下の点を除いて、図１２に示した例と同様である。
【００９０】
図１３（ａ）では、発光装置１０は、正常に動作している。特に図１３（ａ）に示す例では、各発光部１４０には、電流Ｉ＝Ｖ／Ｒが流れる。
【００９１】
図１３（ｂ）では、第１行第１列に位置する発光部１４０にリークが発生している。リークの発生によって、この発光部１４０は、短絡する。発光部１４０の短絡によって、短絡した発光部１４０に並列に接続した発光部１４０には電流が流れなくなるものの、これらの発光部１４０に直列に接続していない発光部１４０には、リーク発生前の電流と同じ電流（Ｖ／Ｒ）が流れる。
【００９２】
図１４は、図８の変形例を示す図である。図１４に示す発光装置１０は、以下の点を除いて、図８から図１１に示した発光装置１０と同様である。
【００９３】
Ｙ方向に沿って隣り合う陽極１１０は、導電層１１１を介して互いに接続している。導電層１１１は、陽極１１０と同一の材料を含んでいる。Ｙ方向に沿って隣り合う陽極１１０の間において、バス電極１５２は、導電層１１１と重なっている。バス電極１５２は、基板１００に対してよりも導電層１１１に対して高い密着性を有している。このような密着性によって、バス電極１５２の剥がれを防止することができる。特に図１４に示す例では、導電層１１１の幅は、バス電極１５２の幅よりも広くなっており、Ｙ方向に沿って隣り合う陽極１１０の間でバス電極１５２の下面全体が導電層１１１に接することができるようになっている。これによって、バス電極１５２を導電層１１１に強固に密着させることができる。
【００９４】
Ｙ方向に沿って隣り合う導電層１１２は、導電層１１３を介して互いに接続している。導電層１１３は、導電層１１２と同一の材料を含んでいる。Ｙ方向に沿って隣り合う導電層１１２の間において、バス電極１５４は、導電層１１３と重なっている。バス電極１５４は、基板１００に対してよりも導電層１１３に対して高い密着性を有している。このような密着性によって、バス電極１５４の剥がれを防止することができる。特に図１４に示す例では、導電層１１３の幅は、バス電極１５４の幅よりも広くなっており、Ｙ方向に沿って隣り合う導電層１１２の間でバス電極１５４の下面全体が導電層１１３に接することができるようになっている。これによって、バス電極１５４を導電層１１３に強固に密着させることができる。
【００９５】
（実施形態３）
図１５は、実施形態３に係る発光装置１０を示す回路図である。本実施形態に係る発光装置１０は、以下の点を除いて、実施形態１に係る発光装置１０と同様である。
【００９６】
発光装置１０は、複数の群Ｇを備えている。各群Ｇは、直列に接続された複数の素子群ＧＰを含んでいる。各素子群ＧＰは、並列に接続された複数の発光部１４０を含んでいる。特に図１５に示す例では、発光装置１０は、２つの群Ｇを備えている。各群Ｇは、直列に接続された３つの素子群ＧＰを含んでいる。各素子群ＧＰは、並列に接続された４つの発光部１４０を含んでいる。
【００９７】
各素子群ＧＰ内で複数の発光部１４０を並列に接続し、かつ複数の素子群ＧＰを直列に接続することで、ダークスポットによる非発光領域の範囲を限定的な範囲に抑えることができる。具体的には、図１６を用いて後述するように、いずれかの素子群ＧＰにおいて一の発光部１４０にダークスポットが生じてこの発光部１４０が開放したとしても、開放した発光部１４０に並列に接続した発光部１４０及び開放した発光部１４０を含む素子群ＧＰに直列に接続した素子群ＧＰには、電流を流すことができる。つまり、ダークスポットによる非発光領域の範囲は、開放した発光部１４０に限定される。
【００９８】
さらに、各素子群ＧＰ内で複数の発光部１４０を並列に接続し、かつ各素子群ＧＰを直列に接続することで、リークによる非発光領域の範囲を限定的な範囲に抑えることができる。具体的には、図１７を用いて後述するように、いずれかの素子群ＧＰにおいて一の発光部１４０にリークが生じてこの発光部１４０が短絡したとしても、短絡した発光部１４０を含む素子群ＧＰに直列に接続した素子群ＧＰには、電流を流すことができる。つまり、ダークスポットによる非発光領域の範囲は、短絡した発光部１４０及び短絡した発光部１４０に並列に接続した発光部１４０に限定される。
【００９９】
図１６は、図１５に示した発光装置１０の動作の第１例を説明するための図である。各発光部１４０の抵抗はＲである。バス電極１５２とバス電極１５４の電圧はＶである。
【０１００】
図１６（ａ）では、発光装置１０は、正常に動作している。特に図１６（ａ）に示す例では、各発光部１４０にＶ／３Ｒの電流が流れる。
【０１０１】
図１６（ｂ）では、第１行第１列に位置する素子群ＧＰのうちの一の発光部１４０にダークスポットが生じている。ダークスポットによって、この発光部１４０は開放する。発光部１４０の開放によって第１行第１列に位置する素子群ＧＰの合成抵抗が増加するものの、開放した発光部１４０を除いて各発光部１４０には電流が流れる。具体的には、図１６（ｂ）に示す例では、第１行第１列に位置する素子群ＧＰにおいて、開放した発光部１４０を除く３つの発光部１４０のそれぞれには４Ｖ／１０Ｒの電流が流れ、第１行第２列及び第１行第３列のそれぞれに位置する素子群ＧＰにおいて、各発光部１４０に３Ｖ／１０Ｒの電流が流れる。一方、第２行に位置する各発光部１４０に流れる電流は、Ｖ／３Ｒのままである。
【０１０２】
図１７は、図１５に示した発光装置１０の動作の第２例を説明するための図である。図１７に示す例は、以下の点を除いて、図１６に示した例と同様である。
【０１０３】
図１７（ａ）では、発光装置１０は、正常に動作している。特に図１７（ａ）に示す例では、各発光部１４０にＶ／３Ｒの電流が流れる。
【０１０４】
図１７（ｂ）では、第１行第１列に位置する素子群ＧＰのうちの一の発光部１４０にリークが生じている。リークによって、この発光部１４０は短絡する。発光部１４０の短絡によって、短絡した発光部１４０を含む素子群ＧＰに直列に接続した素子群ＧＰに流れる電流は増加するものの、短絡した発光部１４０に並列に接続した発光部１４０を除いて、いずれの発光部１４０にも電流が流れる。具体的には、図１７（ｂ）に示す例では、第１行第２列及び第１行第３列のそれぞれに位置する素子群ＧＰにおいて、各発光部１４０にＶ／２Ｒの電流が流れる。一方、第２行に位置する各発光部１４０に流れる電流は、Ｖ／３Ｒのままである。
【０１０５】
図１８は、図１５に示した発光装置１０の群Ｇの一例を示す平面図である。
【０１０６】
図１８に示す例では、群Ｇは、Ｘ方向に並ぶ３つの素子群ＧＰを含んでいる。各素子群ＧＰは、Ｙ方向に並ぶ３つの発光部１４０を含んでいる。このようにして、９つの発光部１４０が３行３列の２次元マトリクス状に配置されている。
【０１０７】
各素子群ＧＰ内の３つの発光部１４０は、並列に接続している。具体的には、バス電極１５２に接続する陽極１１０を除いて、Ｙ方向に沿って隣り合う陽極１１０は、導電層１１１を介して互いに接続している。導電層１１１は、陽極１１０と同一の材料を含んでいる。バス電極１５２に隣接する素子群ＧＰの発光部１４０は、バス電極１５２と当該素子群ＧＰのバス電極１５４側の他の素子群ＧＰの陽極１１０との間で並列に接続され、バス電極１５４に隣接する素子群ＧＰの発光部１４０は、当該素子群ＧＰの陽極１１０とバス電極１５４の間で並列に接続され、これらの素子群ＧＰの間の素子群ＧＰの発光部１４０は、当該素子群ＧＰの陽極１１０と当該素子群ＧＰのバス電極１５４側の他の素子群ＧＰの陽極１１０の間で並列に接続されている。
【０１０８】
（実施形態４）
図１９は、実施形態４に係る発光装置１０を示す回路図であり、実施形態３の図１５に対応する。本実施形態に係る発光装置１０は、以下の点を除いて、実施形態３に係る発光装置１０と同様である。
【０１０９】
発光装置１０は、複数の素子群ＧＳを備えている。各素子群ＧＳは、直列に接続された複数の発光部１４０を含んでいる。各発光部１４０は、並列に接続された複数のサブ画素Ｓを含んでいる。特に図１５に示す例では、発光装置１０は、２つの素子群ＧＳを備えている。各素子群ＧＳは、直列に接続された３つの発光部１４０を含んでいる。各発光部１４０は、並列に接続された４つのサブ画素Ｓを含んでいる。
【０１１０】
各発光部１４０内で複数のサブ画素Ｓを並列に接続し、かつ複数の発光部１４０を直列に接続することで、ダークスポットによる非発光領域の範囲を限定的な範囲に抑えることができる。具体的には、図１６を用いて説明した例と同様にして、いずれかの発光部１４０において一のサブ画素Ｓにダークスポットが生じてこのサブ画素Ｓが開放したとしても、開放したサブ画素Ｓに並列に接続したサブ画素Ｓ及び開放したサブ画素Ｓを含む発光部１４０に直列に接続した発光部１４０には、電流を流すことができる。つまり、ダークスポットによる非発光領域の範囲は、開放したサブ画素Ｓに限定される。
【０１１１】
さらに、各発光部１４０内で複数のサブ画素Ｓを並列に接続し、かつ発光部１４０を直列に接続することで、リークによる非発光領域の範囲を限定的な範囲に抑えることができる。具体的には、図１７を用いて説明した例と同様にして、いずれかの発光部１４０において一のサブ画素Ｓにリークが生じてこのサブ画素Ｓが短絡したとしても、短絡したサブ画素Ｓを含む発光部１４０に直列に接続した発光部１４０には、電流を流すことができる。つまり、ダークスポットによる非発光領域の範囲は、短絡したサブ画素Ｓ及び短絡したサブ画素Ｓに並列に接続したサブ画素Ｓに限定される。
【０１１２】
図２０は、図１９に示した発光装置１０の一例を示す平面図である。図２１は、図２０に示した発光部１４０を拡大した図である。図２２は、図２１から陰極１３０を取り除いた図である。図２３は、図２２から有機層１２０を取り除いた図である。図２４は、図２１のＣ−Ｃ断面図である。
【０１１３】
図２０に示す例では、Ｘ方向に並ぶ３つの素子群ＧＳを備えている。各素子群ＧＳは、Ｙ方向に並ぶ３つの発光部１４０を含んでいる。各発光部１４０は、Ｙ方向に並ぶ４つのサブ画素Ｓを含んでいる。このようにして、９つの発光部１４０が３行３列の２次元マトリクス状に配置されている。
【０１１４】
図２１から図２４を用いて発光部１４０の詳細について説明する。発光部１４０は、陽極１１０、有機層１２０、陰極１３０及び複数の隔壁１６０を有している。
【０１１５】
図２１から図２３に示すように、複数の発光部１４０は、Ｙ方向に沿って並び、Ｘ方向に沿って延びている。図２４に示すように、隔壁１６０の側壁は、隔壁１６０の下端から上端に向かうにつれて隔壁１６０の外側に向けて傾いている。隔壁１６０は、有機絶縁材料、例えばポリイミドを含んでいる。
【０１１６】
有機層１２０は、複数の隔壁１６０によって複数のサブ有機層１２０Ｓに分断されている。複数のサブ有機層１２０Ｓは、繋がっておらず、互いに離間している。これによって、一のサブ有機層１２０Ｓに侵入した水分が他のサブ有機層１２０Ｓに伝搬することを防ぐことができる。
【０１１７】
陰極１３０は、複数のサブ陰極１３０Ｓを有している。隣り合うサブ陰極１３０Ｓは、隔壁１６０によって隔てられている。これによって、一のサブ陰極１３０Ｓに侵入した水分が他のサブ陰極１３０Ｓに伝搬することを防ぐことができる。図２１から図２３に示す例では、複数のサブ陰極１３０Ｓは、導電層１１２側で互いに繋がっている。
【０１１８】
発光部１４０は、複数のサブ画素Ｓを有している。隣り合うサブ画素Ｓは、隔壁１６０によって互いに隔てられている。サブ画素Ｓでは、陽極１１０、サブ有機層１２０Ｓ及びサブ陰極１３０Ｓが重なっており、陽極１１０とサブ陰極１３０Ｓの間の電圧によってサブ有機層１２０Ｓから光が発せられる。
【０１１９】
無機層２００は、陽極１１０、複数のサブ有機層１２０Ｓ、複数のサブ陰極１３０Ｓ及び複数の隔壁１６０を覆っている。特に図２４に示す例では、無機層２００は、ＡＬＤ膜（すなわち、ＡＬＤにより形成された膜）であり、段差被覆性に優れている。このような段差被覆性によって、無機層２００は隔壁１６０の傾いた側壁であっても覆うことができる。
【０１２０】
次に、図２１から図２４に示した発光部１４０を製造する方法の一例を説明する。
【０１２１】
まず、基板１００の第１面１０２上に陽極１１０を形成する。
【０１２２】
次いで、隔壁１６０を形成する。隔壁１６０は、フォトリソグラフィによるパターニングによって形成することができる。
【０１２３】
次いで、有機層１２０を堆積する。隔壁１６０によって、有機層１２０は、複数のサブ有機層１２０Ｓに分断される。なお、図２４に示すように、有機層１２０の一部は、隔壁１６０の上面上にも堆積される。
【０１２４】
次いで、陰極１３０を堆積する。隔壁１６０によって、陰極１３０は、互いに分断されたサブ陰極１３０Ｓを有するようになる。なお、図２４に示すように、陰極１３０の一部は、隔壁１６０の上面上にも堆積される。
【０１２５】
次いで、無機層２００及び保護層３００を形成する。
【０１２６】
このようにして、図２１から図２４に示した発光部１４０が製造される。
【０１２７】
（実施形態５）
図２５（ａ）は、実施形態５に係る発光装置１０を示す平面図である。図２５（ｂ）は、図２５（ａ）に示した画素１４２を拡大した図である。本実施形態に係る発光装置１０は、実施形態１から実施形態４までのいずれかに係る発光装置１０と同様である。
【０１２８】
図２５（ａ）に示すように、発光装置１０は、活性領域ＡＲ（発光領域）を有している。図２５（ａ）に示す例では、活性領域ＡＲの形状は矩形である。活性領域ＡＲは、複数の画素１４２及び透光部１４４を有している。透光部１４４は、遮光部材、具体的には、陰極１３０と重なっていない領域である。つまり、透光部１４４は、Ｘ方向に沿って隣り合う画素１４２の間に位置する領域及びＹ方向に沿って隣り合う画素１４２の間に位置する領域を含んでいる。
【０１２９】
発光装置１０が透光性を有する必要がある場合、活性領域ＡＲの全面積のうち複数の陰極１３０の面積は、５０％以下であることが好ましい。
【０１３０】
図２５（ｂ）に示すように、画素１４２は、長手方向及び短手方向を有している。特に図２５（ｂ）に示す例では、画素１４２は、長辺及び短辺を有する矩形である。画素１４２の長手方向の長さＬは短いことが好ましく、具体的には、例えば１ｍｍ以下であることが好ましい。画素１４２の長手方向の長さＬが短いと、仮に、ダークスポット又はリークによって画素１４２が光を発することができなくなっても、非発光領域を目立たせないようにすることができる。
【０１３１】
以上、図面を参照して実施形態及び実施例について述べたが、これらは本発明の例示であり、上記以外の様々な構成を採用することもできる。
【０１３２】
この出願は、２０１６年１２月１３日に出願された日本出願特願２０１６−２４１０２６号を基礎とする優先権を主張し、その開示の全てをここに取り込む。
【図１】
0006701383.tif 000002
【図２】
0006701383.tif 000003
【図３】
0006701383.tif 000004
【図４】
0006701383.tif 000005
【図５】
0006701383.tif 000006
【図６】
0006701383.tif 000007
【図７】
0006701383.tif 000008
【図８】
0006701383.tif 000009
【図９】
0006701383.tif 000010
【図１０】
0006701383.tif 000011
【図１１】
0006701383.tif 000012
【図１２】
0006701383.tif 000013
【図１３】
0006701383.tif 000014
【図１４】
0006701383.tif 000015
【図１５】
0006701383.tif 000016
【図１６】
0006701383.tif 000017
【図１７】
0006701383.tif 000018
【図１８】
0006701383.tif 000019
【図１９】
0006701383.tif 000020
【図２０】
0006701383.tif 000021
【図２１】
0006701383.tif 000022
【図２２】
0006701383.tif 000023
【図２３】
0006701383.tif 000024
【図２４】
0006701383.tif 000025
【図２５】
0006701383.tif 000026